(57)【要約】      （修正有）【課題】言葉、イベントデータ、数字、写真、図、着信音、ゲーム、ビデオ、ＵＲＬ、その他のようなコンテンツをユーザ端末にダウンロードし、またはスマート人工物を介して入手できるもしくは見ることができるようになる情報を制御する。【解決手段】スマート人工物１０１およびユーザ端末１０２は、対話型セッションを開始する第１の短距離インタフェース１１２、１２１と、対話型セッションを継続する第２の長距離インタフェース１１１、１２４とを有する。スマート人工物１０１およびユーザ端末１０２は、対話型セッションを第１のインタフェース１１２、１２１から第２のインタフェース１２１、１２４へ移す手段を含む。【選択図】図１
2015015730.tif 000002
【特許請求の範囲】
【請求項１】
ユーザ端末（１０２）との対話型セッションを開始する、短距離内でアクティブの第１のインタフェース手段（１１２）を有するスマート人工物（１０１）であって、
前記スマート人工物（１０１）がさらに、
前記ユーザ端末（１０２）との前記対話型セッションを継続する、前記短距離よりも実質的に長距離内でアクティブの第２のインタフェース手段（１１１）と、
前記対話型セッションを前記第１のインタフェース手段（１１２）から前記第２のインタフェース手段（１１１）へ移す手段とを有することを特徴とする、スマート人工物（１０１）。
【請求項２】
前記第１のインタフェース手段（１１２）が、
タッチベースのインタフェース、
無線周波数識別（ＲＦＩＤ）タグ、
無線周波数識別（ＲＦＩＤ）タグリーダ、
バーコード、
バーコードスキャナ、
ショットコード、
ショットコードスキャナ、
ユニフォームリソースロケータ（ＵＲＬ）、
ユニフォームリソースロケータ（ＵＲＬ）リーダ、
近距離通信（ＮＦＣ）インタフェース、
赤外線インタフェース、
Ｂｌｕｅｔｏｏｔｈインタフェース
のうちの１つまたは複数を装備することを特徴とする、請求項１に記載のスマート人工物（１０１）。
【請求項３】
前記第２のインタフェース手段（１１１）が、
ＢｌｕｅｔｏｏｔｈインタフェースすなわちＩＥＥＥ  ８０２．１５インタフェース、
無線ローカルエリアネットワーク（ＷＬＡＮ）インタフェース、
ＷｉＦｉ（Ｗｉｒｅｌｅｓｓ  Ｆｉｄｅｌｉｔｙ）インタフェースすなわちＩＥＥＥ  ８０２．１１インタフェース、
ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）インタフェースすなわちＩＥＥＥ  ８０２．１６インタフェース、
ＷｉＢｒｏ（Ｗｉｒｅｌｅｓｓ  Ｂｒｏａｄｂａｎｄ）インタフェース、
ＨｏｍｅＲＦインタフェース、
ＧＳＭ（Ｇｌｏｂａｌ  Ｓｙｓｔｅｍｓ  ｆｏｒ  Ｍｏｂｉｌｅ  ｃｏｍｍｕｎｉｃａｔｉｏｎｓ）インタフェース、
ワイヤレスアプリケーションプロトコル（ＷＡＰ）インタフェース、
ユニバーサル移動電話システム（ＵＭＴＳ）インタフェース
のうちの１つまたは複数を装備することを特徴とする、請求項１に記載のスマート人工物（１０１）。
【請求項４】
スマート人工物（１０１）との対話型セッションを開始する、短距離内でアクティブの第１のインタフェース手段（１２１）を有するユーザ端末（１０２）であって、
前記ユーザ端末（１０２）がさらに、
前記スマート人工物（１０１）との前記対話型セッションを継続する、前記短距離よりも実質的に長距離内でアクティブの、第２のインタフェース手段（１２４）と、
前記対話型セッションを前記第１のインタフェース手段（１２１）から前記第２のインタフェース手段（１２４）へ移す手段とを有することを特徴とする、ユーザ端末（１０２）。
【発明の詳細な説明】
【技術分野】
【０００１】
本発明は概して、例えばパブリックディスプレイ、ホワイトボード、または広告板などのスマート人工物と、携帯電話、ＰＤＡ、ラップトップコンピュータ、その他のようなユーザ端末との間の対話型セッションに関する。このような対話型セッションは、言葉、イベントデータ、数字、写真、図、着信音、ゲーム、ビデオ、ＵＲＬ、その他のようなコンテンツをユーザ端末にダウンロード可能にする、またはスマート人工物を介して入手できるもしくは見ることができるようになる情報の制御を可能にする。
【背景技術】
【０００２】
先行技術の対話型人工物およびユーザ端末を分類する一方法は、複数のゾーンの対話を有する解決法と単一ゾーンの対話を有する解決法とを区別することである。
【０００３】
著者Ｎｏｒｂｅｒｔ  Ｓｔｒｅｉｔｚ、Ｃａｒｓｔｅｎ  Ｒｏｃｋｅｒ、Ｔｈｏｒｓｔｅｎ  Ｐｒａｎｔｅ、Ｒｉｃｈａｒｄ  Ｓｔｅｎｚｅｌ、およびＤａｎｉｅｌ  ｖａｎ  Ａｌｐｈｅｎによる論文「Ｓｉｔｕａｔｅｄ  Ｉｎｔｅｒａｃｔｉｏｎ  ｗｉｔｈ  Ａｍｂｉｅｎｔ  Ｉｎｆｏｒｍａｔｉｏｎ：Ｆａｃｉｌｉｔａｔｉｎｇ  Ａｗａｒｅｎｅｓｓ  ａｎｄ  Ｃｏｍｍｕｎｉｃａｔｉｏｎ  ｉｎ  Ｕｂｉｑｕｉｔｏｕｓ  Ｗｏｒｋ  Ｅｎｖｉｒｏｎｍｅｎｔｓ」の中に、ＧｏｓｓｉｐＷａｌｌおよびＶｉｅｗＰｏｒｔが説明されており、例えばこの論文はセンシング技術を有する人工物、すなわちＧｏｓｓｉｐＷａｌｌディスプレイと、センシング技術を有するユーザ端末、すなわちＶｉｅｗＰｏｒｔデバイスについて説明し、これらはＧｏｓｓｉｐＷａｌｌからＶｉｅｗＰｏｒｔの距離によって決まる３つのゾーン、すなわち対話ゾーン（Ｉｎｔｅｒａｃｔｉｖｅ  ｚｏｎｅ）、通知ゾーン（Ｎｏｔｉｆｉｃａｔｉｏｎ  ｚｏｎｅ）、およびアンビエントゾーン（Ａｍｂｉｅｎｔ  ｚｏｎｅ）で対話する。さらにＧｏｓｓｉｐＷａｌｌは、対話ゾーンおよび通知ゾーン内のそれぞれでＶｉｅｗＰｏｒｔデバイスの存在を検知する２つの独立したＲＦＩＤセンサを含んでいる。ＶｉｅｗＰｏｒｔデバイスが対話ゾーン内で検知されると、ＧｏｓｓｉｐＷａｌｌディスプレイの各独立したピクセルまたはセルを利用して対話が可能になる。ＶｉｅｗＰｏｒｔデバイスが通知ゾーン内で検知されると、ＧｏｓｓｉｐＷａｌｌはＶｉｅｗＰｏｒｔデバイスを「借り」てこれを使用し、例えばＧｏｓｓｉｐＷａｌｌ上に表示するパターンに関する情報などの個人情報をユーザに提供することができる。ＶｉｅｗＰｏｒｔデバイスが対話ゾーンまたは通知ゾーンの外に出る、すなわちＶｉｅｗＰｏｒｔデバイスが検知されないアンビエントゾーンに進むと、ＧｏｓｓｉｐＷａｌｌディスプレイは一般的な情報を表示するようになり、対話はできない。ＧｏｓｓｉｐＷａｌｌおよびＶｉｅｗＰｏｒｔについてのさらに詳細な説明は、次のＵＲＬ
ｈｔｔｐ：／／ｗｗｗ．ｉｐｓｉ．ｆｒａｕｎｈｏｆｅｒ．ｄｅ／ａｍｂｉｅｎｔｅ／ｐａｐｅｒ／２００３／ＨＣＩＩ−２００３−Ｓｔｒｅｉｔｚ．ｅｔ．ａｌ．−ｆｉｎａｌ．ｐｄｆ
によりインターネットからダウンロード可能である上記の論文中に見出される。
【０００４】
同様のシステムが、Ｈｅｌｌｏ．Ｗａｌｌであり、ユーザ端末を所有する個人から壁までの距離に応じてＶｉｅｗＰｏｒｔなどのユーザ端末と対話する、別の壁面サイズのアンビエントディスプレイである。Ｈｅｌｌｏ．Ｗａｌｌについては、次のＵＲＬ
ｈｔｔｐ：／／ｗｗｗ．ｉｐｓｉ．ｆｒａｕｎｈｏｆｅｒ．ｄｅ／ａｍｂｉｅｎｔｅ／ｐａｐｅｒ／２００４／ＡｍｂｉｅｎｔＡｇｏｒａｓ−ＣＨＩ０４−ｐｒａｎｔｅ．ｐｄｆ
からダウンロード可能である、Ｔｈｏｒｓｔｅｎ  Ｐｒａｎｔｅ他による「Ａｍｂｉｅｎｔ  Ａｇｏｒａｓ−ＩｎｆｏＲｉｖｅｒ、ＳＩＡＭ、Ｈｅｌｌｏ．Ｗａｌｌ」という表題の公開資料に、またＵＲＬ
ｈｔｔｐ：／／ｗｗｗ．ｉｐｓｉ．ｆｒａｕｎｈｏｆｅｒ．ｄｅ／ａｍｂｉｅｎｔｅ／ｍａｔｅｒｉａｌ／ｐｉｃｔｕｒｅｓ／
から入手可能である「Ａｍｂｉｅｎｔ  Ａｇｏｒａｓ」という表題の第２のインターネット公開資料に記載されている。
【０００５】
複数の対話ゾーンに基づく上記の解決法の欠点は、スマート人工物とユーザ端末との間の対話型セッションが、あるゾーンから他のゾーンへ伝達されることが可能ではないということである。新しいゾーンに入った時点で、ユーザ端末と人工物との間の対話モードは自動的に変わる。
【０００６】
知られている先行技術のシステムのもう１つの欠点は、対話する人工物をユーザが明示的に選択しないことである。対話は、ユーザ端末が人工物にある程度近づいた途端、自動的に確立される。たとえＶｉｅｗＰｏｒｔのユーザが単に通り過ぎ、スマートディスプレイとの対話を望まなくとも、ＧｏｓｓｉｐＷａｌｌがＶｉｅｗＰｏｒｔデバイスの存在を検知して、これを自動的に対話に選択し、その結果例えばディスプレイ上で一般情報が個人情報と置き換えられる。
【０００７】
明示的な選択がないことは、多くのスマート人工物があるシナリオではさらに厄介となる。ユーザ端末までのそれぞれの距離に応じて、これらの人工物すべてがユーザ端末と対話を開始する可能性があるが、ユーザは単に特定の１つの人工物を選択することを望む。
【０００８】
ただ１つの対話ゾーンを有する例示的な先行技術のシステムは、ＰｏｌｙｖｉｓｉｏｎのＷａｌｋ−ａｎｄ−Ｔａｌｋ  Ｌｉｇｈｔｎｉｎｇ対話型ホワイトボードであり、これにはユーザ端末、すなわちＷａｌｋ−ａｎｄ−Ｔａｌｋのボードが付いており、これは直観的に使えるリモコンとして機能し、ホワイトボード上の提示物を映し出す、書き込みする、消去する、保存する、および印刷する、ならびにウェブにアクセスすることを可能にする。このＷａｌｋ−ａｎｄ−Ｔａｌｋ  Ｌｉｇｈｔｎｉｎｇ対話型ホワイトボードは、次のＵＲＬ
ｈｔｔｐ：／／ｗｗｗ．ｐｏｌｙｖｉｓｉｏｎ．ｃｏｍ／ｍｅｄｉａ／ｐｒｏｄｕｃｔ＿ｓｈｅｅｔｓ／Ｗａｌｋ−ａｎｄ−Ｔａｌｋ−Ｌｉｇｈｔｎｉｎｇ−Ｐｒｏｄｕｃｔ−Ｓｈｅｅｔ．ｐｄｆ
に公表されている。
【０００９】
別の単一ゾーンの対話型人工物は、Ｈｙｐｅｒｔａｇによって実現可能であり、これは、広告または公共の看板に取り付けられる小型電子タグであって、赤外線またはＢｌｕｅｔｏｏｔｈに基づく携帯電話およびＰＤＡがタグを付けられたポスターパネル、広告板、その他と対話し、電話番号、リマインダプロンプト、ゲーム、ロゴ、画像、着信音、その他をダウンロードできるようにする。Ｈｙｐｅｒｔａｇのプラットフォームは、
ｈｔｔｐ：／／ｗｗｗ．ｈｙｐｅｒｔａｇ．ｃｏｍ／
に公表されている。
【００１０】
この選択は、例えばＢｌｕｅｔｏｏｔｈ接続がユーザ端末と公共の人工物との間に確立されて認証されなければならない場合があり、より明示的である場合があるが、スマート人工物とユーザ端末との間の対話を可能にする単一ゾーンの解決法は、例えばＢｌｕｅｔｏｏｔｈまたは赤外線インタフェースなどの見通し線接続を介してセッションが開始される短距離ゾーンの外部に、端末と人工物との間の対話型セッションを移植することができないという欠点が依然としてある。
【先行技術文献】
【非特許文献】
【００１１】
【非特許文献１】Ｓｉｔｕａｔｅｄ  Ｉｎｔｅｒａｃｔｉｏｎ  ｗｉｔｈ  Ａｍｂｉｅｎｔ  Ｉｎｆｏｒｍａｔｉｏｎ：Ｆａｃｉｌｉｔａｔｉｎｇ  Ａｗａｒｅｎｅｓｓ  ａｎｄ  Ｃｏｍｍｕｎｉｃａｔｉｏｎ  ｉｎ  Ｕｂｉｑｕｉｔｏｕｓ  Ｗｏｒｋ  Ｅｎｖｉｒｏｎｍｅｎｔｓ、著者Ｎｏｒｂｅｒｔ  Ｓｔｒｅｉｔｚ、Ｃａｒｓｔｅｎ  Ｒｏｃｋｅｒ、Ｔｈｏｒｓｔｅｎ  Ｐｒａｎｔｅ、Ｒｉｃｈａｒｄ  Ｓｔｅｎｚｅｌ、およびＤａｎｉｅｌ  ｖａｎ  Ａｌｐｈｅｎ：  ｈｔｔｐ：／／ｗｗｗ．ｉｐｓｉ．ｆｒａｕｎｈｏｆｅｒ．ｄｅ／ａｍｂｉｅｎｔｅ／ｐａｐｅｒ／２００３／ＨＣＩＩ−２００３−Ｓｔｒｅｉｔｚ．ｅｔ．ａｌ．−ｆｉｎａｌ．ｐｄｆ
【非特許文献２】Ａｍｂｉｅｎｔ  Ａｇｏｒａｓ−ＩｎｆｏＲｉｖｅｒ、ＳＩＡＭ、Ｈｅｌｌｏ．Ｗａｌｌ、Ｔｈｏｒｓｔｅｎ  Ｐｒａｎｔｅ他：  ｈｔｔｐ：／／ｗｗｗ．ｉｐｓｉ．ｆｒａｕｎｈｏｆｅｒ．ｄｅ／ａｍｂｉｅｎｔｅ／ｐａｐｅｒ／２００４／ＡｍｂｉｅｎｔＡｇｏｒａｓ−ＣＨＩ０４−ｐｒａｎｔｅ．ｐｄｆ
【非特許文献３】Ａｍｂｉｅｎｔ  Ａｇｏｒａｓ：  ｈｔｔｐ：／／ｗｗｗ．ｉｐｓｉ．ｆｒａｕｎｈｏｆｅｒ．ｄｅ／ａｍｂｉｅｎｔｅ／ｍａｔｅｒｉａｌ／ｐｉｃｔｕｒｅｓ／
【非特許文献４】Ｗａｌｋ−ａｎｄ−Ｔａｌｋ−Ｌｉｇｈｔｎｉｎｇ対話型ホワイトボード：  ｈｔｔｐ：／／ｗｗｗ．ｐｏｌｙｖｉｓｉｏｎ．ｃｏｍ／ｍｅｄｉａ／ｐｒｏｄｕｃｔ＿ｓｈｅｅｔｓ／Ｗａｌｋ−ａｎｄ−Ｔａｌｋ−Ｌｉｇｈｔｎｉｎｇ−Ｐｒｏｄｕｃｔ−Ｓｈｅｅｔ．ｐｄｆ
【非特許文献５】Ｈｙｐｅｒｔａｇプラットフォーム：  ｈｔｔｐ：／／ｗｗｗ．ｈｙｐｅｒｔａｇ．ｃｏｍ／
【発明の概要】
【発明が解決しようとする課題】
【００１２】
上記に記載した先行技術の解決法の欠点を克服するスマート人工物およびユーザ端末を提供することが、本発明の目的である。詳細には、所定のゾーンを越えて対話型セッションを拡大することができるスマート人工物およびユーザ端末を開示することが目的である。さらに、ユーザ端末が、特に複数のスマート人工物の付近において、対話型セッションを始めるスマート人工物を明示的に選択することを可能にすることが目的である。
【課題を解決するための手段】
【００１３】
本発明によれば、
ユーザ端末との対話型セッションを開始する、短距離内でアクティブの第１のインタフェース手段と、
ユーザ端末との対話型セッションを継続する、長距離内でアクティブの第２のインタフェース手段と、
対話型セッションを第１のインタフェース手段から第２のインタフェース手段へ移す手段と
を有する請求項１に定めるスマート人工物によって、上記の目的が実現され、先行技術の解決法の欠点が克服される。
【００１４】
このように、例えば適合したユーザ端末で人工物に触れることによるなど、短距離インタフェースを介してセッションを開始することによって、また例えばセッションを長距離ＲＦインタフェースにハンドオーバするなど、第１のインタフェースから第２のインタフェースへセッションを移すことによって、人工物とユーザ端末との間の対話型通信は、第１の、短距離のインタフェースがアクティブであるゾーンを越えて拡大される。さらに、この短距離インタフェースは、明確かつ直感的な方法で人工物を明示的に選択する手段を確立することができる。これは特に、第１のインタフェースが、対話を開始するためにユーザが人工物に触れることを要求する触覚または触感に基づく特徴を含む場合である。
【００１５】
本発明はさらに、
スマート人工物との対話型セッションを開始する、短距離内でアクティブの第１のインタフェース手段と、
スマート人工物との対話型セッションを継続する、長距離内でアクティブの第２のインタフェース手段と、
対話型セッションを第１のインタフェース手段から第２のインタフェース手段へ移す手段と
を有する、請求項４に定めるユーザ端末に関する。
【００１６】
このようなユーザ端末は、上述の方法で請求項１に定めるスマート人工物との対話型セッションを始めることができる。短距離インタフェースと長距離インタフェースとの間のハンドオーバは、モビリティプロキシがインタフェース間でネットワーク制御のハンドオーバを行うとき、ユーザ端末が制御するまたはユーザ端末が援助するものとすることができる。例えばハンドオーバは、短距離インタフェースを介してスマート人工物と接続中に長距離通信ネットワークまたはサービスを用いて認証する、短距離インタフェースを介した接続を維持しながらユーザ端末およびスマート人工物の中の長距離インタフェースを介してパケットデータセッションの確立手順を同時に行う、ならびにユーザ端末およびスマート人工物の中の２つのインタフェース間でパラメータを交換する際にある可能性がある。パラメータの交換は、例えば、ＳＩＰ（セッション開始プロトコル）メッセージへの添付としてパラメータを転送するＳＩＰの残りのプロトコルであるＳＨＰ（セッションハンドオーバプロトコル）に従ってパラメータを転送するモビリティＳＩＰプロキシのように、モビリティプロキシの援助を含むことができる。
【００１７】
請求項２に示すように、第１の、短距離インタフェース手段は、状況に応じて、タッチベースのインタフェース、無線周波数識別（ＲＦＩＤ）タグ、無線周波数識別（ＲＦＩＤ）タグリーダ、バーコード、バーコードスキャナ、ショットコード（ｓｈｏｔｃｏｄｅ）、ショットコードスキャナ、ユニフォームリソースロケータ（ＵＲＬ）、ユニフォームリソースロケータ（ＵＲＬ）リーダ、近距離通信（Ｎｅａｒ  Ｆｉｅｌｄ  Ｃｏｍｍｕｎｉｃａｔｉｏｎ、ＮＦＣ）インタフェース、赤外線インタフェース、Ｂｌｕｅｔｏｏｔｈインタフェースなどとすることができる。
【００１８】
請求項３に示すように、第２の、長距離インタフェース手段は、状況に応じて、ＢｌｕｅｔｏｏｔｈインタフェースすなわちＩＥＥＥ  ８０２．１５インタフェース、無線ローカルエリアネットワーク（ＷＬＡＮ）インタフェース、ＷｉＦｉ（ワイファイ、Ｗｉｒｅｌｅｓｓ  Ｆｉｄｅｌｉｔｙ）インタフェースすなわちＩＥＥＥ  ８０２．１１インタフェース、ＷｉＭＡＸ（ワイマックス、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）インタフェースすなわちＩＥＥＥ  ８０２．１６インタフェース、ＷｉＢｒｏ（ワイブロ、Ｗｉｒｅｌｅｓｓ  Ｂｒｏａｄｂａｎｄ）インタフェース、ＨｏｍｅＲＦインタフェース、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）インタフェース、ワイヤレスアプリケーションプロトコル（Ｗｉｒｅｌｅｓｓ  Ａｐｐｌｉｃａｔｉｏｎ  Ｐｒｏｔｏｃｏｌ、ＷＡＰ）インタフェース、ユニバーサル移動電話システム（Ｕｎｉｖｅｒｓａｌ  Ｍｏｂｉｌｅ  Ｔｅｌｅｐｈｏｎｅ  Ｓｙｓｔｅｍ、ＵＭＴＳ）インタフェースなどとすることができる。
【図面の簡単な説明】
【００１９】
【図１】本発明による人工物およびユーザ端末の一実施形態を示す図である。
【発明を実施するための形態】
【００２０】
図１は、スマートパブリックディスプレイ１０１、モバイルユーザ端末１０２、およびモバイルネットワークの無線基地局１０３を示している。
【００２１】
スマートディスプレイ１０１は、ＲＦインタフェース１１１と、触覚インタフェース１１２と、プロセッサユニット１１３と、アプリケーションロジック１１４と、グラフィカルユーザインタフェース１１５とを含む。モバイルユーザ端末１０２は、触覚インタフェース１２１と、アプリケーションロジック１２２と、ユーザインタフェース１２３と、ＲＦインタフェース１２４とを有する。スマートディスプレイのＲＦインタフェース１１１およびユーザ端末のＲＦインタフェース１２４は、ＧＳＭ、ＧＰＲＳ、ＵＭＴＳ、Ｂｌｕｅｔｏｏｔｈ、ＷｉＦｉ、その他用のインタフェースである可能性がある。
【００２２】
モバイル端末１０２のユーザが触覚インタフェース１２１でスマートディスプレイ１０１の対応する触覚インタフェース１１２に触れると、スマートディスプレイ１０１とユーザ端末１０２との間に短距離対話型セッションが確立され、モバイルユーザ端末１０２は、スマートディスプレイ１０１と関連付けられるようになる。
【００２３】
モバイル端末１０２とスマートディスプレイ１０１との間に関連付けが行われれば、モバイル端末１０２のユーザは歩き回れるようになる。スマートディスプレイ１０１との対話型セッションは、触覚インタフェース１１２からＲＦインタフェース１１１へハンドオーバされ、このＲＦインタフェース１１１は、図１の無線基地局１０３で表すモバイルネットワークによってモバイル端末１０２のＲＦインタフェース１２４と通信する長距離インタフェースであるため、ユーザが見えなくなっても継続される。またモバイルユーザ端末１０２では、対話型セッションは触覚インタフェース１２１からＲＦインタフェース１２４へ移され、これがスマートディスプレイ１０１のハンドオーバと同期して起こる。この瞬間からスマートディスプレイ１０１およびユーザ端末１０２は長距離通信セッションになり、対話はＲＦによって行われる。例えば、映画の予告編をフェッチする、テキストを掲示する、ユーザ端末とスマートディスプレイとの間でグラフィカルユーザインタフェースを共有する、その他のようなクライアント−サーバ型のアプリケーションが、確立された対話型通信セッションによって実行されるようになり、ユーザは、例えばユーザの自宅または会社に戻るまで、対話型セッションを継続することができる。
【００２４】
本発明によってモバイル端末１０２のユーザは、スマートディスプレイ１０１との対話型セッションを始める明確で直感的な方法を提供される。ユーザは、単に選択したディスプレイにモバイル端末１０２で触れることによって、近くにある複数のディスプレイから１つのスマートディスプレイを選択することができ、対話ゾーンを無限に拡大する（例えば、スマートディスプレイとの対話型セッションを持ち帰る）ことができる。本発明は、スマート人工物との対話に自然な、触感または触覚に基づく特徴を導入し、先行技術の解決法によって通り過ぎるユーザ端末と自動的に対話して、最終的には個人的なプライベート情報を表示するという、パブリックディスプレイまたは広告板のような公共の人工物との対話時のプライバシーの問題を解決する。
【００２５】
図１のユーザ端末１０２およびスマートディスプレイ１０１は、触覚に基づくまたはタッチベースのインタフェースを備えているが、ＲＦＩＤ、赤外線、Ｂｌｕｅｔｏｏｔｈ、バーコード読取り、その他のいかなる短距離インタフェースまたはセンシング技術も、ユーザ端末をスマートディスプレイと関連付けて、その間に対話型セッションを確立するための実行可能な代替物となりうる。
【００２６】
さらに、図１のスマートディスプレイ１０１および携帯電話１０２は、本発明によるスマート人工物およびユーザ端末の例に過ぎないことに留意されたい。スマート人工物の他の例は、広告板、ホワイトボード、周囲壁、テーブルなどである。ユーザ端末の他の例は、ＰＤＡ（携帯情報端末）、ラップトップコンピュータ、遠隔制御装置などである。
【００２７】
またさらに、無線基地局を介したＲＦ接続による長距離通信は、例として示したに過ぎないことに留意されたい。本発明の変形物は、付近のホットスポット（例えばＷｉＦｉ）による、または他の無線端末（例えばアドホックモードのＷｉＦｉ）による長距離通信を用いることができることを、当業者は理解するであろう。
【００２８】
また、本発明によるスマートディスプレイもしくはより一般的にはスマート人工物、およびユーザ端末は、２つ以上の短距離インタフェースと、２つ以上の長距離インタフェースとを含むことができることに注意されたい。複数のインタフェースは、互換性の可能性を高め、また例えばインタフェースのうちの１つが故障したときに対話型セッションを正常に確立する可能性を高める。このようにユーザ端末またはスマート人工物が、複数の短距離インタフェースおよび／または複数の長距離インタフェースを含む場合には、端末または人工物は、対話型通信セッションを利用可能な短距離インタフェースから利用可能な長距離インタフェースへ移すことができるハンドオーバ手段もまた備えていることが好ましい。複数の長距離インタフェースが利用可能であるとき、ユーザ端末およびスマート人工物は、場合により長距離通信手段に適合し、これを使用して対話型セッションを継続する。これは、ネゴシエーションのサイクル中に行われることが可能である。
【００２９】
特定の実施形態を参照することにより本発明を説明したが、本発明は、前述の例示的実施形態の詳細に限定されず、その趣旨および範囲から逸脱することなく様々な変更および修正を行って体現可能であるということは、当業者には明らかであろう。したがって本実施形態は、あらゆる点で例示的であって、限定的ではないとみなされなければならず、本発明の範囲は、前述の記載にではなく添付の特許請求の範囲に示されており、したがって、特許請求の範囲と等価の意味および範囲に入るあらゆる変更は、その中に包含されるものとする。言い換えれば本発明の範囲は、根底に横たわる原理の趣旨および範囲内にあって、その本質的な特性が本特許出願で請求されるありとあらゆる変更物、変形物、または等価物を含むよう意図されている。さらに、「含んでいる」または「含む」という用語は他の要素またはステップを排除しないこと、「一」または「ある」という用語は複数を排除しないこと、さらにコンピュータシステム、プロセッサ、または他の集積装置など単一の要素が、特許請求の範囲に列挙されたいくつかの手段の機能を実行しうるということは、本特許出願の読者には理解されるであろう。特許請求の範囲の中のいかなる参照符号も、関係しているそれぞれの請求項を限定すると解釈されないものとする。
【図１】
2015015730.tif 000003
【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
ユーザ端末（１０２）との対話型セッションを開始する、短距離内でアクティブの第１のインタフェース手段（１１２）を有するスマート人工物（１０１）であって、
前記スマート人工物（１０１）がさらに、
前記ユーザ端末（１０２）との前記対話型セッションを継続する、前記短距離よりも実質的に長距離内でアクティブの第２のインタフェース手段（１１１）と、
前記対話型セッションを前記第１のインタフェース手段（１１２）から前記第２のインタフェース手段（１１１）へ移す手段とを有し、
前記スマート人工物（１０１）が、前記ユーザ端末（１０２）により触られることにより、前記ユーザ端末（１０２）の第１のインタフェース手段（１２１）と前記スマート人工物（１０１）の前記第１のインタフェース手段（１１２）を介して、選択され、前記ユーザ端末（１０２）の前記第１のインタフェース手段（１２１）と前記スマート人工物（１０１）の前記第１のインタフェース手段（１１２）を介して、前記スマート人工物（１０１）と前記ユーザ端末（１０２）との間の前記対話型セッションが確立され、
前記第２のインタフェース手段（１１１）は、前記第１のインタフェース手段（１１２）の通信規格とは異なる通信規格に従ったインタフェース手段であることを特徴とする、スマート人工物（１０１）。
【請求項２】
前記第１のインタフェース手段（１１２）が、
タッチベースのインタフェース、
無線周波数識別（ＲＦＩＤ）タグ、
無線周波数識別（ＲＦＩＤ）タグリーダ、
バーコード、
バーコードスキャナ、
ショットコード、
ショットコードスキャナ、
ユニフォームリソースロケータ（ＵＲＬ）、
ユニフォームリソースロケータ（ＵＲＬ）リーダ、
近距離通信（ＮＦＣ）インタフェース、
赤外線インタフェース、
Ｂｌｕｅｔｏｏｔｈインタフェース
のうちの１つまたは複数を装備することを特徴とする、請求項１に記載のスマート人工物（１０１）。
【請求項３】
前記第２のインタフェース手段（１１１）が、
無線ローカルエリアネットワーク（ＷＬＡＮ）インタフェース、
ＷｉＦｉ（Ｗｉｒｅｌｅｓｓ  Ｆｉｄｅｌｉｔｙ）インタフェースすなわちＩＥＥＥ  ８０２．１１インタフェース、
ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）インタフェースすなわちＩＥＥＥ  ８０２．１６インタフェース、
ＷｉＢｒｏ（Ｗｉｒｅｌｅｓｓ  Ｂｒｏａｄｂａｎｄ）インタフェース、
ＨｏｍｅＲＦインタフェース、
ＧＳＭ（Ｇｌｏｂａｌ  Ｓｙｓｔｅｍｓ  ｆｏｒ  Ｍｏｂｉｌｅ  ｃｏｍｍｕｎｉｃａｔｉｏｎｓ）インタフェース、
ワイヤレスアプリケーションプロトコル（ＷＡＰ）インタフェース、
ユニバーサル移動電話システム（ＵＭＴＳ）インタフェース
のうちの１つまたは複数を装備することを特徴とする、請求項１又は２に記載のスマート人工物（１０１）。
【請求項４】
スマート人工物（１０１）との対話型セッションを開始する、短距離内でアクティブの第１のインタフェース手段（１２１）を有するユーザ端末（１０２）であって、
前記ユーザ端末（１０２）がさらに、
前記スマート人工物（１０１）との前記対話型セッションを継続する、前記短距離よりも実質的に長距離内でアクティブの、第２のインタフェース手段（１２４）と、
前記対話型セッションを前記第１のインタフェース手段（１２１）から前記第２のインタフェース手段（１２４）へ移す手段とを有し、
前記ユーザ端末（１０２）が、前記スマート人工物（１０１）に触ることによって、前記ユーザ端末（１０２）の前記第１のインタフェース手段（１２１）と前記スマート人工物（１０１）の第１のインタフェース手段（１１２）を介して、前記スマート人工物（１０１）を選択し、前記ユーザ端末（１０２）の前記第１のインタフェース手段（１２１）と前記スマート人工物（１０１）の前記第１のインタフェース手段（１１２）を介して、前記ユーザ端末（１０２）と前記スマート人工物（１０１）との間の前記対話型セッションが確立され、
前記第２のインタフェース手段（１２４）は、前記第１のインタフェース手段（１２１）の通信規格とは異なる通信規格に従ったインタフェース手段であることを特徴とする、ユーザ端末（１０２）。
【外国語明細書】
2015015730000001.pdf